(57)【特許請求の範囲】
【請求項１】
左右方向に沿って配置される額縁部材と、上下方向に沿って配置される額縁部材とを備え、既設枠を残した建物の躯体に新設枠を取り付けた後、前記既設枠を覆うように前記新設枠に前記額縁部材を取り付けるようにした取付構造であって、
互いに接合される額縁部材の一方には、他方の額縁部材を内部に挿入するためにインロウ用切欠を設け、かつ前記一方の額縁部材の見付け面を構成する見付け額縁部にネジ挿通用切欠を形成するとともに、前記ネジ挿通用切欠の投影面内に前記他方の額縁部材の見付け面に当接するネジ螺合用壁部を形成し、前記ネジ挿通用切欠から連結ネジを挿入して前記ネジ螺合用壁部と前記他方の額縁部材の見付け面を構成する見付け額縁部とを連結したことを特徴とする額縁部材の取付構造。
【請求項２】
前記一方の額縁部材の開口端部には、前記ネジ挿通用切欠の外表域を覆うラップ部を有したキャップ部材を装着したことを特徴とする請求項１に記載の額縁部材の取付構造。
【請求項３】
左右方向に沿って配置される額縁部材と、上下方向に沿って配置される額縁部材とを備え、既設枠を残した建物の躯体に新設枠を取り付けた後、前記既設枠を覆うように前記新設枠に前記額縁部材を取り付けるようにした取付構造であって、
互いに接合される額縁部材の一方には、他方の額縁部材を内部に挿入するためにインロウ用切欠を設け、
前記一方の額縁部材の見付け面を構成する見付け額縁部には、前記他方の額縁部材の見付け面に沿って延在するネジ螺合用壁部を形成するとともに、前記ネジ螺合用壁部に対向する部位には前記新設枠の見付け面に沿って延在し、かつ前記インロウ用切欠を形成した場合に切除されるように接合壁部を形成し、
前記接合壁部を前記新設枠の見付け面に当接した状態で前記ネジ螺合用壁部を介して前記新設枠に取付ネジを螺合することにより前記一方の額縁部材を前記新設枠に取り付けるとともに、前記ネジ螺合用壁部と前記他方の額縁部材の見付け面を構成する見付け額縁部との間を連結ネジによって連結したことを特徴とする額縁部材の取付構造。
【請求項４】
前記一方の額縁部材には、前記新設枠の見込み面に沿って延在する第二の接合壁部を設けたことを特徴とする請求項３に記載の額縁部材の取付構造。
【請求項５】
前記額縁部材において前記新設枠から延在した部分の端部には、折り取り用溝を複数設けたことを特徴とする請求項１または請求項３に記載の額縁部材の取付構造。
【請求項６】
左右方向に沿って配置される額縁部材と、上下方向に沿って配置される額縁部材とを備え、既設枠を残した建物の躯体に新設枠を取り付けた後、前記既設枠を覆うように前記新設枠に前記額縁部材を取り付けるようにした額縁部材の取付方法であって、
互いに隣設する額縁部材は、一方の額縁部材の内部に他方の額縁部材の端部が挿入された状態で相互に接合されるものであり、
前記一方の額縁部材を前記新設枠に取り付けた後、前記他方の額縁部材を前記新設枠に取り付ける工程と、
前記一方の額縁部材の見付け面から前記他方の額縁部材の見付け面に連結ネジを螺合する工程と
を含むことを特徴とする額縁部材の取付方法。
【請求項７】
左右方向に沿って配置される額縁部材と、上下方向に沿って配置される額縁部材とを備え、既設枠を残した建物の躯体に新設枠を取り付けた後、前記既設枠を覆うように前記新設枠に取付ネジによって前記額縁部材を取り付けるようにした取付構造であって、
互いに接合される額縁部材の一方には、他方の額縁部材を内部に挿入するためにインロウ用切欠を設け、
前記他方の額縁部材には、前記新設枠の見付け面に沿って延在する第一の接合壁部と、前記新設枠の見込み面に沿って延在する第二の接合壁部と、前記取付ネジを覆うビスカバーを装着するための係合壁部とを設け、
前記第二の接合壁部は、前記第一の接合壁部を前記新設枠の見付け面に当接させた場合に前記新設枠の見付け面から突出するように延在するものであり、
前記ビスカバーは、前記第一の接合壁部を介して前記新設枠の見付け面に取付ネジを螺合した状態で前記係合壁部に係合させた場合に前記第二の接合壁部を覆うカバーヒレ部を有したことを特徴とする額縁部材の取付構造。
【発明の詳細な説明】
【技術分野】
【０００１】
本発明は、玄関ドア等の建具を改装する場合に適用する額縁部材の取付構造及び額縁部材の取付方法に関するものである。
【背景技術】
【０００２】
玄関ドア等の建具を改装する方法としては、工期短縮やコストの削減を図るため、既設枠を残したまま建物の躯体に新設枠を取り付けるようにした方法が提供されている。建物に残した既設枠については、新設枠に取り付けた額縁部材によって覆い隠すことができるため、外観品質が損なわれるおそれもない。額縁部材は、上枠を覆う上額縁部材と縦枠を覆う左右の縦額縁部材とが個別に設けられており、これらを予め門型に組み立てた状態で建物に取り付けるのが一般的である。すなわち、額縁部材を建物に取り付ける場合には、まず、上額縁部材の両端部を縦額縁部材に当接させ、この状態から縦額縁部材を介して上額縁部材のビスホールに連結ネジを螺合させることで予め３つの額縁部材を門型に組み立てた状態とする。この門型の額縁部材を建物に配置し、それぞれの額縁部材を新設枠にネジ止めすれば、額縁部材が建物に取り付けられる（例えば、特許文献１参照）。
【先行技術文献】
【特許文献】
【０００３】
【特許文献１】特開２００５−１３９６７３号公報
【発明の概要】
【発明が解決しようとする課題】
【０００４】
上記のように、予め門型に構成した額縁部材を建物に設置する方法によれば、建物に設置した状態で額縁部材の相互間を連結する作業が不要となる。このため、改装する玄関が入隅にある場合等、周囲に十分な作業スペースを確保することのできない建物に対しても額縁部材を取り付けることが可能となる。また、上述の取付構造によれば、縦額縁部材の見込み面から連結ネジを螺合しているため、額縁部材の見付け面に連結ネジが露出することはなく、外観品質の観点からも有利となる。
【０００５】
しかしながら、門型に構成した額縁部材は、それぞれを個別に取り扱う場合に比べて外形寸法及び重量が大きなものとなるため、複数人で協働しなければ建物に設置できない事態が生じ得る。また、改装する玄関に風除室が設けられている状況にあっては、門型に構成した額縁部材を風除室の内部に搬入することが困難となる場合もある。
【０００６】
また、覆うべき既設枠や新設枠の見込み寸法によっては、見込み寸法の大きな縦額縁部材を別に用意する必要があり、管理する部品点数が増大する等の問題を招来するおそれもある。尚、部品点数の問題は、最大寸法を有した額縁部材を用意すれば解決することが可能である。しかしながら、外形寸法が必要以上に大きい額縁部材を適用した場合には、新設ドアパネルの開き角度が大きく制限される等の新たな問題を招来することになる。
【０００７】
本発明は、上記実情に鑑みて、改装する建物の状況に関わらず額縁部材の取付作業を容易に行うことのできる額縁部材の取付構造及び取付方法を提供することを目的とする。
【課題を解決するための手段】
【０００９】
上記目的を達成するため、本発明に係る額縁部材の取付構造は、左右方向に沿って配置される額縁部材と、上下方向に沿って配置される額縁部材とを備え、既設枠を残した建物の躯体に新設枠を取り付けた後、前記既設枠を覆うように前記新設枠に前記額縁部材を取り付けるようにした取付構造であって、互いに接合される額縁部材の一方には、他方の額縁部材を内部に挿入するためにインロウ用切欠を設け、かつ前記一方の額縁部材の見付け面を構成する見付け額縁部にネジ挿通用切欠を形成するとともに、前記ネジ挿通用切欠の投影面内に前記他方の額縁部材の見付け面に当接するネジ螺合用壁部を形成し、前記ネジ挿通用切欠から連結ネジを挿入して前記ネジ螺合用壁部と前記他方の額縁部材の見付け面を構成する見付け額縁部とを連結したことを特徴とする。
【００１０】
この発明によれば、左右方向に沿って配置される額縁部材と、上下方向に沿って配置される額縁部材とを個別に取り扱うことができるため、外形寸法や重量が大きくなることに起因した問題を招来することがない。しかも、額縁部材の見付け面から連結ネジを螺合するようにしているため、入隅等、周囲に十分な作業スペースを確保できない建物に対しても容易に取り付けることができる。さらに、額縁部材を相互に連結ネジで連結しているため、額縁部材の間に隙間ができる等の問題を招来することもない。
【００１１】
また本発明は、上述した額縁部材の取付構造において、前記一方の額縁部材の開口端部には、前記ネジ挿通用切欠の外表域を覆うラップ部を有したキャップ部材を装着したことを特徴とする。
【００１２】
この発明によれば、額縁部材の見付け面に螺合した連結ネジをキャップ部材のラップ部で覆うことができるため、外観品質を向上させることができる。
【００１３】
また本発明に係る額縁部材の取付構造は、左右方向に沿って配置される額縁部材と、上下方向に沿って配置される額縁部材とを備え、既設枠を残した建物の躯体に新設枠を取り付けた後、前記既設枠を覆うように前記新設枠に前記額縁部材を取り付けるようにした取付構造であって、互いに接合される額縁部材の一方には、他方の額縁部材を内部に挿入するためにインロウ用切欠を設け、前記一方の額縁部材の見付け面を構成する見付け額縁部には、前記他方の額縁部材の見付け面に沿って延在するネジ螺合用壁部を形成するとともに、前記ネジ螺合用壁部に対向する部位には前記新設枠の見付け面に沿って延在し、かつ前記インロウ用切欠を形成した場合に切除されるように接合壁部を形成し、前記接合壁部を前記新設枠の見付け面に当接した状態で前記ネジ螺合用壁部を介して前記新設枠に取付ネジを螺合することにより前記一方の額縁部材を前記新設枠に取り付けるとともに、前記ネジ螺合用壁部と前記他方の額縁部材の見付け面を構成する見付け額縁部との間を連結ネジによって連結したことを特徴とする。
【００１４】
この発明によれば、一方の額縁部材を新設枠に取り付ける位置と他方の額縁部材に螺合する位置とが同一の直接上に配置されるため、共通のカバー部材を装着することでそれぞれに螺合する取付ネジ及び連結ネジを一度に覆うことが可能となる。
【００１５】
また本発明は、上述した額縁部材の取付構造において、前記一方の額縁部材には、前記新設枠の見込み面に沿って延在する第二の接合壁部を設けたことを特徴とする。
【００１６】
この発明によれば、接合壁部及び第二の接合壁部のいずれか一方を選択することにより、一方の額縁部材を新設枠の見付け面もしくは見込み面のいずれかに取り付けることが可能となる。
【００１７】
また本発明は、上述した額縁部材の取付構造において、前記額縁部材において前記新設枠から延在した部分の端部には、折り取り用溝を複数設けたことを特徴とする。
【００１８】
この発明によれば、折り取り用溝に沿って額縁部材の端部を切除することにより、覆うべき枠の寸法に応じて額縁部材の寸法を調整することができる。
【００１９】
また本発明に係る額縁部材の取付方法は、左右方向に沿って配置される額縁部材と、上下方向に沿って配置される額縁部材とを備え、既設枠を残した建物の躯体に新設枠を取り付けた後、前記既設枠を覆うように前記新設枠に前記額縁部材を取り付けるようにした額縁部材の取付方法であって、互いに隣設する額縁部材は、一方の額縁部材の内部に他方の額縁部材の端部が挿入された状態で相互に接合されるものであり、前記一方の額縁部材を前記新設枠に取り付けた後、前記他方の額縁部材を前記新設枠に取り付ける工程と、前記一方の額縁部材の見付け面から前記他方の額縁部材の見付け面に連結ネジを螺合する工程とを含むことを特徴とする。
【００２０】
この発明によれば、左右方向に沿って配置される額縁部材と、上下方向に沿って配置される額縁部材とを個別に取り扱うことができるため、外形寸法や重量が大きくなることに起因した問題を招来することがない。しかも、額縁部材の見付け面から連結ネジを螺合するようにしているため、入隅等、周囲に十分な作業スペースを確保できない建物に対しても容易に取り付けることができる。さらに、額縁部材を相互に連結ネジで連結しているため、額縁部材の間に隙間ができる等の問題を招来することもない。
【００２３】
また本発明に係る額縁部材の取付構造は、左右方向に沿って配置される額縁部材と、上下方向に沿って配置される額縁部材とを備え、既設枠を残した建物の躯体に新設枠を取り付けた後、前記既設枠を覆うように前記新設枠に取付ネジによって前記額縁部材を取り付けるようにした取付構造であって、互いに接合される額縁部材の一方には、他方の額縁部材を内部に挿入するためにインロウ用切欠を設け、前記他方の額縁部材には、前記新設枠の見付け面に沿って延在する第一の接合壁部と、前記新設枠の見込み面に沿って延在する第二の接合壁部と、前記取付ネジを覆うビスカバーを装着するための係合壁部とを設け、前記第二の接合壁部は、前記第一の接合壁部を前記新設枠の見付け面に当接させた場合に前記新設枠の見付け面から突出するように延在するものであり、前記ビスカバーは、前記第一の接合壁部を介して前記新設枠の見付け面に取付ネジを螺合した状態で前記係合壁部に係合させた場合に前記第二の接合壁部を覆うカバーヒレ部を有したことを特徴とする。
【００２４】
この発明によれば、他方の額縁部材を一方の額縁部材にインロウさせる場合に第二の接合壁部を大きく切除した場合にも、ビスカバーのカバーヒレ部によって取付ネジとともに覆うことができるため、外観品質が損なわれるおそれがない。
【発明の効果】
【００２５】
本発明によれば、左右方向に沿って配置される額縁部材と、上下方向に沿って配置される額縁部材とを個別に取り扱うことができるため、外形寸法や重量が大きくなることに起因した問題を招来することがない。しかも、額縁部材の見付け面から連結ネジを螺合するようにしているため、入隅等、周囲に十分な作業スペースを確保できない建物に対しても容易に取り付けることができる。さらに、額縁部材を相互に連結ネジで連結しているため、額縁部材の間に隙間ができる等の問題を招来することもない。
【００２６】
また、本発明によれば、第一の接合壁部を介して額縁部材を新設枠に取り付けた場合には、覆うべき既設枠や新設枠の見込み寸法が比較的大きい場合にも対応することができる。覆うべき既設枠や新設枠の見込み寸法が比較的小さい場合には、第二の接合壁部を介して額縁部材を新設枠に取り付けることにより、見込み方向の突出量が抑えられ、新設ドアパネルの開き角度が制限される事態を招来することがない。
【図面の簡単な説明】
【００２７】
【図１】図１は、本発明の実施の形態１である額縁部材の取付構造を適用した建具の枠部分を室外側から見た図である。
【図２】図２は、図１に示した枠部分の要部拡大縦断面図である。
【図３】図３は、図１に示した枠部分の要部拡大横断面図である。
【図４】図４は、図１に示した額縁部材の取付方法を順に示したもので、縦額縁部材を取り付ける状態の要部斜視図である。
【図５】図５は、図１に示した額縁部材の取付方法を順に示したもので、縦額縁部材に上額縁部材の端部を挿入した状態の要部斜視図である。
【図６】図６は、図１に示した額縁部材の取付方法を順に示したもので、縦額縁部材と上額縁部材とを連結ネジで連結する状態の要部斜視図である。
【図７】図７は、図１に示した額縁部材の取付方法を順に示したもので、縦額縁部材の上方域にキャップ部材を配置した状態の要部斜視図である。
【図８】図８は、図１に示した額縁部材の取付方法を順に示したもので、縦額縁部材の上端部にキャップ部材を装着するとともに、縦額縁部材及び上額縁部材にそれぞれビスカバーを装着した状態の要部斜視図である。
【図９】図９は、図１に示した額縁部材の取付構造を比較的見込み寸法の大きい既設枠を備えた建具に適用した変形例の要部拡大縦断面図である。
【図１０】図１０は、図９に示した変形例の要部拡大横断面図である。
【図１１】図１１は、本発明の実施の形態２である額縁部材の取付構造を適用した建具の要部拡大縦断面図である。
【図１２】図１２は、図１１に示した建具の要部拡大横断面図である。
【図１３】図１３は、図１１に示した建具に適用する縦額縁部材の断面、一部拡大図である。
【図１４】図１４は、図１１に示した建具の縦額縁部材の取付状態を示すもので、（ａ）は縦額縁部材と新設縦枠との取付状態を示す要部横断面図、（ｂ）は縦額縁部材と上額縁部材との取付状態を示す要部横断面図である。
【図１５】図１５は、図１１に示した建具の要部を示すもので、（ａ）は上額縁用ビスカバーを装着する以前の要部斜視図、（ｂ）は上額縁用紙部カバーを装着した状態の要部斜視図である。
【図１６】図１６は、図１１に示した建具において新設上枠に対する上額縁部材の取付位置を見付け面から見込み面に変更した状態の要部拡大縦断面図である。
【図１７】図１７は、図１１に示した建具において新設縦枠に対する縦額縁部材の取付位置を見付け面から見込み面に変更した状態の要部拡大縦断面図である。
【発明を実施するための形態】
【００２８】
以下、添付図面を参照しながら本発明に係る額縁部材、その取付構造及び取付方法の好適な実施の形態について詳細に説明する。
【００２９】
（実施の形態１）
図１〜図３は、本発明の実施の形態１である額縁部材の取付構造を適用した建具の枠部分を示し、図４〜図８は、額縁部材の取付方法を順に示したものである。ここで例示する建具は、既設の玄関ドアを改装することによって構成した玄関ドアである。以下、本実施の形態１では便宜上、既設の玄関ドアと改装後の新たな玄関ドアとを区別するため、改装対象となる既設玄関ドアの各構成要素に「既設」という用語を付し、新たに取り付ける玄関ドアの各構成要素に「新設」という用語を付してそれぞれを説明することとする。
【００３０】
改装対象となる既設玄関ドアは、図２及び図３に示すように、既設開口枠１０に既設ドアパネル（図示せず）を開閉可能に支持させることによって構成されていたものである。改装に際しては、既設開口枠１０のみが建物に残った状態となるように、予め既設ドアパネル（図示せず）が取り外してある。既設玄関ドアの既設開口枠１０は、既設上枠１１と左右の既設縦枠１２とを備えて構成したものである。それぞれの既設枠１１，１２は、アルミニウム合金によって成形した押し出し形材であり、全長にわたってほぼ一様な断面形状を有している。図からも明らかなように、既設上枠１１及び既設縦枠１２は、それぞれの室外側に位置する部分が建物の外壁Ｗからわずかに突出した状態で建物の躯体Ｂに固定されている。本実施の形態１で例示する既設枠１１，１２は、既設額縁部材を備えるものではなく、見付け寸法及び外壁Ｗからの突出寸法がいずれも比較的小さく設定されている。
【００３１】
一方、新設玄関ドアは、新設開口枠２０に新設ドアパネル２１（図１参照）を開閉可能に支持させることによって構成したものである。新設開口枠２０を構成する新設上枠２２及び左右の新設縦枠２３は、それぞれが略矩形の筒状を成す２つの枠要素２２ａ，２２ｂ，２３ａ，２３ｂと、枠要素２２ａ，２２ｂ，２３ａ，２３ｂの相互間を連結する断熱材２２ｃ，２３ｃとを備えて構成してある。それぞれの枠要素２２ａ，２２ｂ，２３ａ，２３ｂは、アルミニウム合金によって成形した押し出し形材であり、全長にわたってほぼ一様な断面形状を有している。これらの新設枠２２，２３は、既設枠１１，１２よりも内周側となる部位に、２つの枠要素２２ａ，２２ｂ，２３ａ，２３ｂが見込み方向に沿って並設する姿勢で配置し、さらに連結部材２４を介して建物の躯体Ｂに固定してある。連結部材２４は、それぞれの一端部が新設枠２２，２３の外周側となる部位に固定され、かつ他端部が室内側に向けて延在したもので、室内側に延在した個々の他端部を介して固定ネジ２５により躯体Ｂに固定してある。
【００３２】
既設枠１１，１２と新設枠２２，２３との間には、それぞれスペーサＳが介在してある。既設上枠１１と新設上枠２２との間には、さらにスペーサＳよりも室外側となる部位の間がシール材Ｔによって密閉してある。図２〜図４に示すように、本実施の形態１では、新設上枠２２の端部を新設縦枠２３の側面に当接させるようにして新設開口枠２０が構成してあり、新設縦枠２３を介して新設上枠２２のビスホール２２ｄに枠固定ネジ（図示せず）を螺合させることによって、新設上枠２２と新設縦枠２３との間が互いに連結してある。
【００３３】
図２及び図３に示すように、新設枠２２，２３は、それぞれの既設枠１１，１２よりも室外側に突出しており、室外側に臨む見付け面に額縁部材３１，３２を保持している。額縁部材３１，３２は、建物に残した既設開口枠１０を室外側から覆うためのものである。本実施の形態１では、新設上枠２２の長手方向に沿ってほぼ水平に配置される上額縁部材３１と、新設縦枠２３の長手方向に沿ってほぼ鉛直に配置される縦額縁部材３２とが個別に用意してある。
【００３４】
上額縁部材３１は、樹脂もしくはアルミニウム合金によって成形した押し出し形材であり、図２及び図５に示すように、接合壁部３１ａ、見付け額縁部３１ｂ及び見込み額縁部３１ｃを有している。接合壁部３１ａは、新設上枠２２の見付け面に接合される部分であり、ネジを螺合するに十分な幅を有して構成してある。接合壁部３１ａの上下両縁部には、互いに対向するように一対の係合壁部３１ｄが室外側に向けて設けてあり、上額縁部材３１の長手方向に沿って延在するビスカバー３３を着脱可能に装着することが可能である。見付け額縁部３１ｂは、上方の係合壁部３１ｄから上方に向けて延在した後に室外側に向けて屈曲し、さらに上方に向けて屈曲するように構成したものである。見付け額縁部３１ｂの見付け寸法は、新設上枠２２の上面から既設上枠１１と外壁Ｗとの接合部までの距離よりも大きく設定してある。見込み額縁部３１ｃは、見付け額縁部３１ｂの上端部から建物の外壁Ｗに向けて略直角に屈曲して延在したものである。見付け額縁部３１ｂ及び見込み額縁部３１ｃには、それぞれ複数の折り取り溝３１ｅが形成してある。折り取り溝３１ｅは、上額縁部材３１の長手方向に沿ってＶ字状の溝を形成することにより構成した薄肉部分であり、カッター等の切断工具を押し当てることにより、容易に切断することが可能である。
【００３５】
縦額縁部材３２は、上額縁部材３１と同様、樹脂もしくはアルミニウム合金によって成形した押し出し形材であり、図３及び図４に示すように、接合壁部３２ａ、内方見込み額縁部３２ｂ、見付け額縁部３２ｃ及び外方見込み額縁部３２ｄを有している。接合壁部３２ａは、新設縦枠２３の見付け面に接合される部分であり、ネジを螺合するに十分な幅を有して構成してある。接合壁部３２ａの左右両縁部には、互いに対向するように一対の係合壁部３２ｅが室外側に向けて設けてあり、縦額縁部材３２の長手方向に沿って延在するビスカバー３３を着脱可能に装着することが可能である。内方見込み額縁部３２ｂは、外周側の係合壁部３２ｅを見込み方向に延長した部分である。図３からも明らかなように、内方見込み額縁部３２ｂは、接合壁部３２ａを新設縦枠２３の見付け面に当接させた場合に、接合壁部３１ａを新設上枠２２に当接させた上額縁部材３１の見付け額縁部３１ｂを超えて突出する寸法に構成してある。見付け額縁部３２ｃは、内方見込み額縁部３２ｂから外周側に向けて屈曲して延在したものである。本実施の形態１では、内周側の見付け面がわずかに凹状となるように湾曲し、かつ外周側の見付け面がわずかに凸状となるように湾曲するように見付け額縁部３２ｃが構成してある。見付け額縁部３２ｃの見付け寸法は、新設縦枠２３の外周側面から既設縦枠１２と外壁Ｗとの接合部までの距離よりも大きく設定してある。外方見込み額縁部３２ｄは、見付け額縁部３２ｃの外周側端部から建物の外壁Ｗに向けて屈曲して延在したものである。見付け額縁部３２ｃ及び外方見込み額縁部３２ｄには、それぞれ複数の折り取り溝３２ｆが形成してある。
【００３６】
また、縦額縁部材３２には、ネジ螺合用壁部３２ｇ及びネジ挿通用切欠３２ｈが設けてあるとともに、図７に示すように、それぞれの上端部にキャップ部材３４が装着してある。ネジ螺合用壁部３２ｇは、内方見込み額縁部３２ｂにおいて外方見込み額縁部３２ｄに対向する内表面から外方見込み額縁部３２ｄに向けて突出したヒレ状部分である。このネジ螺合用壁部３２ｇの室内側に臨む見付け面は、縦額縁部材３２の接合壁部３２ａを新設縦枠２３の見付け面に当接させた場合に、上額縁部材３１の接合壁部３１ａを新設上枠２２の見付け面に当接させた場合の見付け額縁部３１ｂの見付け面に一致する位置に形成してある。ネジ挿通用切欠３２ｈは、それぞれの見付け額縁部３２ｃの上端から形成したＵ字状の切欠であり、ネジ螺合用壁部３２ｇに対向する部位に設けてある。キャップ部材３４は、図７及び図８に示すように、縦額縁部材３２の上端開口を塞ぐためのもので、キャップ本体３４ａ及びラップ部３４ｂを有している。キャップ本体３４ａは、平板状を成すもので、縦額縁部材３２の上端とほぼ同じ形状に構成してある。ラップ部３４ｂは、キャップ本体３４ａを縦額縁部材３２の上端に装着した場合に縦額縁部材３２のネジ挿通用切欠３２ｈを覆うように構成したものである。
【００３７】
以下、図４〜図８を適宜参照しながら、上述した額縁部材３１，３２を取り付ける手順について説明し、併せて実施の形態１の特徴部分について詳述する。
【００３８】
まず、本実施の形態１では、図４に示すように、建物の躯体Ｂに固定した左右の新設縦枠２３に対してそれぞれ縦額縁部材３２を取り付ける。具体的には、縦額縁部材３２の接合壁部３２ａを新設縦枠２３の見付け面に当接させ、この状態から接合壁部３２ａを介して新設縦枠２３に取付ネジ４０を螺合することにより、縦額縁部材３２を新設縦枠２３に保持させる。縦額縁部材３２と外壁Ｗとの間は、折り取り溝３１ｅに沿って適宜切断することで調整することが可能である。この状態においては、図３に示すように、既設縦枠１２、新設縦枠２３と既設縦枠１２との隙間、既設縦枠１２と外壁Ｗとの接合部が縦額縁部材３２によって覆われることになり、外部に露出するおそれがなくなる。図には明示していないが、縦額縁部材３２と外壁Ｗとの間は、シール材によって密閉しておくことが好ましい。
【００３９】
図４からも明らかなように、縦額縁部材３２の内方見込み額縁部３２ｂには、予め上額縁部材３１の端部を挿入することができるようにインロウ用切欠３２ｊを形成しておく。インロウ用切欠３２ｊは、接合壁部３１ａを新設上枠２２の見付け面に当接させた場合の上額縁部材３１の断面形状に合致するように形成したものである。上述したように、縦額縁部材３２のネジ螺合用壁部３２ｇは、その室内側に臨む見付け面が、上額縁部材３１の接合壁部３１ａを新設上枠２２の見付け面に当接させた場合の見付け額縁部３１ｂの見付け面と一致する位置に形成したものである。従って、上額縁部材３１の見付け額縁部３１ｂに対応するインロウ用切欠３２ｊは、ネジ螺合用壁部３２ｇの室内側に臨む見付け面に沿って形成されることになる。
【００４０】
次いで、図５に示すように、上額縁部材３１の端部をそれぞれインロウ用切欠３２ｊを介して縦額縁部材３２と新設上枠２２との間に挿入し、この状態から接合壁部３１ａを介して新設上枠２２に取付ネジ４０を螺合させることにより、上額縁部材３１を新設上枠２２に保持させる。上額縁部材３１と外壁Ｗとの間は、折り取り溝３１ｅに沿って適宜切断することで調整することが可能である。この状態においては、図２に示すように、既設上枠１１、新設上枠２２と既設上枠１１との隙間、既設上枠１１と外壁Ｗとの接合部が上額縁部材３１によって覆われることになり、外部に露出するおそれがなくなる。縦額縁部材３２と同様、上額縁部材３１と外壁Ｗとの間についてもシール材によって密閉しておくことが好ましい。
【００４１】
次いで、図６に示すように、縦額縁部材３２のネジ挿通用切欠３２ｈを介してネジ螺合用壁部３２ｇに連結ネジ４１を螺合すれば、連結ネジ４１によって縦額縁部材３２の上端部と上額縁部材３１の端部とが互いに連結されることになる。その後、図７に示すように、縦額縁部材３２の上端にキャップ部材３４を装着するとともに、図８に示すように、縦額縁部材３２の係合壁部３２ｅ及び上額縁部材３１の係合壁部３１ｄにそれぞれビスカバー３３を装着すれば、額縁部材３１，３２の取付作業が終了する。
【００４２】
上述した額縁部材３１，３２の取付構造によれば、取付ネジ４０や連結ネジ４１を見付け面側から螺合しているため、入隅等、周囲に十分な作業スペースを確保できない建物に対しても容易に取り付けることができる。しかも、上額縁部材３１と縦額縁部材３２とを連結した連結ネジ４１は、キャップ部材３４のラップ部３４ｂによって覆い隠されることになり、額縁部材３１，３２を新設枠２２，２３に取り付けた取付ネジ４０はビスカバー３３によって覆い隠されることになる。従って、図１に示すように、室外側から見た場合、いずれの箇所にもネジが露出することはなく、外観品質の点で有利となる。
【００４３】
また、連結ネジ４１を螺合するためのネジ螺合用壁部３２ｇについては、縦額縁部材３２の意匠面となる見付け額縁部３２ｃに直接設けるのではなく、内方見込み額縁部３２ｂの内表面から突出したヒレ状部分に設けるようにしている。このため、見付け額縁部３２ｃの形状に関わらず、ネジ螺合用壁部３２ｇと上額縁部材３１の見付け額縁部３１ｂとの間に隙間が生じることなく上額縁部材３１と縦額縁部材３２とを接合することができ、外観品質を一層向上させることが可能となる。
【００４４】
さらに、上述した取付作業は、上額縁部材３１及び縦額縁部材３２を個別に取り扱って行うことができるものである。従って、仮に玄関に風除室が設けられた状況にあっても風除室の開口に干渉することはなく、また協働作業者を要することなく、それぞれの額縁部材３１，３２を容易に搬入して取り付けを行うことが可能である。
【００４５】
尚、上述した実施の形態１では、既設枠１１，１２として、見付け寸法及び外壁Ｗからの突出寸法がいずれも比較的小さく設定されたものを例示しているが、本発明はこれに限定されない。例えば、図９及び図１０の変形例に示すように、既設額縁部材１３，１４が付設され、見付け寸法及び外壁Ｗからの突出寸法が比較的大きく設定された既設枠１１′，１２′を改装する場合にも、同様に適用することが可能である。
【００４６】
すなわち、変形例の取付構造にあっても、取付ネジ４０や連結ネジ４１を見付け面側から螺合しているため、入隅等、周囲に十分な作業スペースを確保できない建物に対しても容易に取り付けることができる。連結ネジ４１を螺合するためのネジ螺合用壁部３２ｇを縦額縁部材３２の見付け額縁部３１ｂに直接設けるのではなく、内方見込み額縁部３２ｂの内表面から外周側に向けて突出したヒレ状部分に設けるようにしている。このため、見付け額縁部３２ｃの形状に関わらず、ネジ螺合用壁部３２ｇと上額縁部材３１の見付け額縁部３１ｂとの間に隙間が生じることなく上額縁部材３１と縦額縁部材３２とを接合することができ、外観品質を向上させることが可能となる。図９及び図１０において、実施の形態１と同様の構成については、同一の符号を付してそれぞれの説明を省略している。
【００４７】
（実施の形態２）
図１１及び図１２は、本発明の実施の形態２である額縁部材の取付構造を適用した建具の枠部分を示したものである。ここで例示する建具は、実施の形態１と同様、既設の玄関ドアを改装することによって構成した玄関ドアである。本実施の形態２においても便宜上、既設の玄関ドアと改装後の新たな玄関ドアとを区別するため、改装対象となる既設玄関ドアの各構成要素に「既設」という用語を付し、新たに取り付ける新設玄関ドアの各構成要素に「新設」という用語を付してそれぞれを説明することとする。また、改装対象となる既設玄関ドア及び新たな新設枠２２，２３については、実施の形態１と同様の構成であるため、同一の符号を付してそれぞれの詳細説明を省略する。
【００４８】
額縁部材１３１，１３２は、建物に残した既設開口枠１０を室外側から覆うためのもので、新設上枠２２の長手方向に沿ってほぼ水平に配置される上額縁部材１３１と、新設縦枠２３の長手方向に沿ってほぼ鉛直に配置される縦額縁部材１３２とを備えている。
【００４９】
上額縁部材１３１は、樹脂もしくはアルミニウム合金によって成形した押し出し形材であり、図１１に示すように、第一接合壁部１３１ａ、第二接合壁部１３１ｂ、見付け額縁部１３１ｃ及び見込み額縁部１３１ｄを有している。第一接合壁部１３１ａは、新設上枠２２の見付け面に接合される部分であり、ネジを螺合するに十分な幅を有して構成してある。第一接合壁部１３１ａの上下両縁部には、互いに対向するように一対の係合壁部１３１ｅが室外側に向けて設けてあり、上額縁部材１３１の長手方向に沿って延在する上額縁用ビスカバー１３３を着脱可能に装着することが可能である。上方の係合壁部１３１ｅは、第一接合壁部１３１ａを超えてわずかに室内側に突出することにより、位置決めリブ１３１ｆを構成している。第二接合壁部１３１ｂは、下方の係合壁部１３１ｅを見込み方向に延長した部分であり、第一接合壁部１３１ａとほぼ同等の幅を有し、かつ第一接合壁部１３１ａに対して隣設する位置にほぼ直交するように設けてある。見付け額縁部１３１ｃは、上方の係合壁部１３１ｅから上方に向けて延在した平板状部分である。見付け額縁部１３１ｃの寸法は、新設上枠２２の上面から既設上枠１１と外壁Ｗとの接合部までの距離よりも大きく設定してある。見込み額縁部１３１ｄは、見付け額縁部１３１ｃの上端部から建物の外壁Ｗに向けて略直角に屈曲して延在したものである。見付け額縁部１３１ｃ及び見込み額縁部１３１ｄには、それぞれ複数箇所に折り取り溝１３１ｇが形成してある。折り取り溝１３１ｇは、上額縁部材１３１の長手方向に沿ってＶ字状の溝を形成することにより構成した薄肉部分であり、カッター等の切断工具を押し当てることにより、容易に切断することが可能である。
【００５０】
上額縁用ビスカバー１３３は、カバー基部１３３ａと、一対の係合爪片１３３ｂとを有したものである。カバー基部１３３ａは、一対の係合壁部１３１ｅの相互間隔を超える幅を有した平板状部分である。一対の係合爪片１３３ｂは、カバー基部１３３ａの中間となる部分から突出したヒレ状部分であり、上額縁部材１３１の係合壁部１３１ｅから互いに対向するように突出した係合ヒレ部１３１ｈに係合することが可能である。尚、係合ヒレ部１３１ｈの突出寸法は、後述する取付ネジ１４０の頭部の高さよりも大きく設定してある。
【００５１】
上額縁用ビスカバー１３３のカバー基部１３３ａには、一方の縁部にカバーヒレ部１３３ｃが設けてある。カバーヒレ部１３３ｃは、係合爪片１３３ｂと同じ方向に屈曲するように延在したもので、下方の係合壁部１３１ｅから突出した第二接合壁部１３１ｂの突出長さとほぼ同じ長さを有している。この上額縁用ビスカバー１３３は、上下を逆にした状態で上額縁部材１３１に装着することが可能である。図１１に示すように、カバーヒレ部１３３ｃを下方に向けた状態で係合爪片１３３ｂを介して上額縁部材１３１に装着した場合には、カバー基部１３３ａによって一対の係合壁部１３１ｅの間の第一接合壁部１３１ａが覆われるとともに、カバーヒレ部１３３ｃが第二接合壁部１３１ｂの下面を覆った状態となる。
【００５２】
縦額縁部材１３２は、上額縁部材１３１と同様、樹脂もしくはアルミニウム合金によって成形した押し出し形材であり、図１２及び図１３に示すように、ネジ螺合用壁部１３２ａ、第一接合壁部１３２ｂ、第二接合壁部１３２ｃ、見付け額縁部１３２ｄ及び見込み額縁部１３２ｅを有している。ネジ螺合用壁部１３２ａは、新設縦枠２３の見付け面に沿って延在する平板状部分であり、ネジを螺合するに十分な幅を有して構成してある。ネジ螺合用壁部１３２ａの左右両縁部には、第二接合壁部１３２ｃと対向するように係合壁部１３２ｆが室外側に向けて設けてあり、第二接合壁部１３２ｃとの間に縦額縁部材１３２の長手方向に沿って延在するビスカバー１３４を着脱可能に装着することが可能である。第一接合壁部１３２ｂは、新設縦枠２３の見付け面に接合される部分であり、見込み方向においてネジ螺合用壁部１３２ａに対向する部位に形成してある。この第一接合壁部１３２ｂの室内側に臨む見付け面は、新設縦枠２３の見付け面に当接させた場合にネジ螺合用壁部１３２ａが、上額縁部材１３１の第一接合壁部１３１ａを新設上枠２２の見付け面に当接させた場合の見付け額縁部１３１ｃの見付け面に一致するように形成してある。本実施の形態２では、ネジ螺合用壁部１３２ａから室内側に向けて突設した一対の支持壁部１３２ｇから互いに対向する方向に舌片状部分を突設することによって第一接合壁部１３２ｂが構成してある。図１３からも明らかなように、第一接合壁部１３２ｂを構成する２つの舌片状部分は、相互間に隙間を確保するように支持壁部１３２ｇに設けてある。また、外周側の支持壁部１３２ｇは、第一接合壁部１３２ｂを超えてわずかに室内側に突出することにより、位置決めリブ１３２ｈを構成している。図１２及び図１３に示すように、第二接合壁部１３２ｃは、ネジ螺合用壁部１３２ａの内周側縁部から室外側に向けてほぼ直角に屈曲した部分であり、ネジ螺合用壁部１３２ａとほぼ同等の幅を有し、かつ第一接合壁部１３２ｂに対してほぼ直交するように設けてある。見付け額縁部１３２ｄは、係合壁部１３２ｆから外周側に向けて屈曲して延在した平板状部分である。見付け額縁部１３２ｄの寸法は、新設縦枠２３の外周側面から既設縦枠１２と外壁Ｗとの接合部までの距離よりも大きく設定してある。見込み額縁部１３２ｅは、見付け額縁部１３２ｄの外周側端部から建物の外壁Ｗに向けて屈曲して延在したものである。上額縁部材１３１と同様、見付け額縁部１３２ｄ及び見込み額縁部１３２ｅには、それぞれ折り取り溝１３２ｊが形成してある。
【００５３】
上述した額縁部材１３１，１３２を取り付ける場合には、まず、建物の躯体Ｂに固定した左右の新設縦枠２３に対してそれぞれ縦額縁部材１３２を取り付ける。具体的には、図１２及び図１４の（ａ）に示すように、縦額縁部材１３２の第一接合壁部１３２ｂを新設縦枠２３の見付け面に当接させ、この状態からネジ螺合用壁部１３２ａ及び第一接合壁部１３２ｂを介して新設縦枠２３に取付ネジ１４０を螺合することにより、縦額縁部材１３２を新設縦枠２３に保持させる。縦額縁部材１３２と外壁Ｗとの間については、隙間が生じた場合、見込み額縁部１３２ｅに延長板材１５０を追加することで隙間をなくすことが可能である。逆に、縦額縁部材１３２が外壁Ｗと干渉する場合には、折り取り溝１３２ｊに沿って適宜切断することで調整することが可能である。この状態においては、既設縦枠１２、新設縦枠２３と既設縦枠１２との隙間、既設縦枠１２と外壁Ｗとの接合部が縦額縁部材１３２によって覆われることになり、外部に露出するおそれがなくなる。図には明示していないが、縦額縁部材１３２と外壁Ｗとの間は、シール材によって密閉しておくことが好ましい。
【００５４】
縦額縁部材１３２を新設縦枠２３に保持させる場合には、図１５に示すように、予め上額縁部材１３１の端部を挿入することができるようにインロウ用切欠１３２ｋを形成しておく。インロウ用切欠１３２ｋは、新設縦枠２３の見付け面と、上額縁部材１３１の第一接合壁部１３１ａを新設上枠２２の見付け面に当接させた場合の上額縁部材１３１の見付け面との段差分だけ縦額縁部材１３２を切除すれば良い。本実施の形態２では、上述したように、第一接合壁部１３２ｂとネジ螺合用壁部１３２ａとの間に、新設縦枠２３の見付け面と、上額縁部材１３１の第一接合壁部１３１ａを新設上枠２２の見付け面に当接させた場合の上額縁部材１３１の見付け面との段差に相当する距離が確保してある。従って、本実施の形態２においては、縦額縁部材１３２の上端から上額縁部材１３１の高さに相当する寸法だけ、図１３及び図１４の（ｂ）に示すように、ネジ螺合用壁部１３２ａから突出する支持壁部１３２ｇが切除されることになる。
【００５５】
次いで、上額縁部材１３１の端部をそれぞれインロウ用切欠１３２ｋを介して縦額縁部材１３２と新設上枠２２との間に挿入し、この状態から図１１に示すように、第一接合壁部１３１ａを介して新設上枠２２に取付ネジ１４０を螺合させることにより、上額縁部材１３１を新設上枠２２に保持させる。ここで、本実施の形態２では、上額縁部材１３１の第二接合壁部１３１ｂが見付け額縁部１３１ｃよりも突出した構成であるため、上額縁部材１３１を取り付ける場合、図１５の（ａ）に示すように、予め、縦額縁部材１３２に挿入する部分の第二接合壁部１３１ｂを切除しておく必要がある。成形上の誤差や組み立て時の誤差を考慮した場合、縦額縁部材１３２に挿入する部分を超えた位置まで第二接合壁部１３１ｂを切除しておけば、組み立て時に第二接合壁部１３１ｂが縦額縁部材１３２の第二接合壁部１３２ｃと干渉する事態を招来するおそれがない。
【００５６】
この状態においては、図１１に示すように、既設上枠１１、新設上枠２２と既設上枠１１との隙間、既設上枠１１と外壁Ｗとの接合部が上額縁部材１３１によって覆われることになり、外部に露出するおそれがなくなる。上額縁部材１３１と外壁Ｗとの間については、隙間が生じた場合、見込み額縁部１３１ｄに延長板材１５０を追加することで隙間をなくすことが可能である。逆に、上額縁部材１３１が外壁Ｗと干渉する場合には、折り取り溝１３１ｇに沿って適宜切断することで調整することが可能である。上額縁部材１３１と外壁Ｗとの間についても、シール材によって密閉しておくことが好ましい。
【００５７】
上記のようにして上額縁部材１３１を新設上枠２２に取り付けた場合には、図１４の（ａ）に示すように、縦額縁部材１３２のネジ螺合用壁部１３２ａが上額縁部材１３１の見付け額縁部１３１ｃに当接した状態にある。従って、ネジ螺合用壁部１３２ａから連結ネジ１４１を螺合すれば、連結ネジ１４１によって縦額縁部材１３２の上端部と上額縁部材１３１の端部とが互いに連結されることになる。その後、図１２に示すように、縦額縁部材１３２の係合壁部１３２ｆ，１３２ｃにビスカバー１３４を装着するとともに、図１１に示すように、上額縁部材１３１の係合壁部１３１ｅにカバーヒレ部１３３ｃを下方に位置させた姿勢で上額縁用ビスカバー１３３を装着すれば、額縁部材１３１，１３２の取付作業が終了する。
【００５８】
上述した取付作業は、上額縁部材１３１及び縦額縁部材１３２を個別に取り扱って行うことができるものである。従って、仮に玄関に風除室が設けられた状況にあっても風除室の開口に干渉することはなく、また協働作業者を要することなく、それぞれの額縁部材１３１，１３２を容易に搬入して取り付けを行うことが可能である。しかも、連結ネジ１４１によって縦額縁部材１３２を上額縁部材１３１に連結するようにしているため、縦額縁部材１３２と上額縁部材１３１との間に隙間が生じる事態を招来するおそれがなく、外観品質上、有利となる。さらに、縦額縁部材１３２と上額縁部材１３１とを連結する連結ネジ１４１と、縦額縁部材１３２を新設縦枠２３に取り付ける取付ネジ１４０とが、同じネジ螺合用壁部１３２ａに配置されることになり、縦額縁部材１３２にビスカバー１３４を装着すれば、これら取付ネジ１４０及び連結ネジ１４１を同時に覆い隠すことができる。
【００５９】
また、上額縁部材１３１に装着した上額縁用ビスカバー１３３にカバーヒレ部１３３ｃを設けるようにしているため、図１５の（ｂ）に示すように、上額縁部材１３１の第二接合壁部１３１ｂを大きめに切除した場合にも、カバーヒレ部１３３ｃによって覆われることになり、外観品質が損なわれることなく、上額縁部材１３１の第二接合壁部１３１ｂと縦額縁部材１３２の第二接合壁部１３２ｃとの干渉を防止できる。
【００６０】
ところで、新設枠２２，２３の見付け面に額縁部材１３１，１３２を保持させた新設玄関ドアにあっては、新設枠２２，２３の分だけ外壁Ｗからの額縁部材１３１，１３２の見込み寸法を大きく確保することができる。従って、既設枠１１，１２や新設枠２２，２３の見込み寸法が大きい場合にも、額縁部材１３１，１３２によって覆い隠すことが可能なる。しかしながら、図１２に示すように、見込み寸法が増大した新設玄関ドアにあっては、新設ドアパネル２１を開いた際に縦額縁部材１３２やビスカバー１３４が干渉する事態が起こり得る。
【００６１】
こうした事態が予想される場合、本実施の形態２によれば、新設枠２２，２３に対する額縁部材１３１，１３２の取付位置を変更することで、新設ドアパネル２１と縦額縁部材１３２とが干渉する問題を未然に防止することが可能である。すなわち、実施の形態２の額縁部材１３１，１３２には、それぞれ新設枠２２，２３の見付け面に接合される第一接合壁部１３１ａ，１３２ｂの他に、新設枠２２，２３の見込み面に接合される第二接合壁部１３１ｂ，１３２ｃが予め設けてある。図１６及び図１７に示すように、これら第二接合壁部１３１ｂ，１３２ｃを介して額縁部材１３１，１３２を新設枠２２，２３の見込み面に取り付けた場合には、外壁Ｗからの見込み寸法は減少するものの、室外側への突出寸法が大幅に減少することになる。従って、図１７に示すように、新設ドアパネル２１を大きく開いた場合にも、新設ドアパネル２１が縦額縁部材１３２やビスカバー１３４に干渉する事態を招来するおそれがなくなる。
【００６２】
ここで、図１６に示すように、第二接合壁部１３１ｂを介して上額縁部材１３１を新設上枠２２に取り付けた場合には、第二接合壁部１３１ｂを覆うためのカバーヒレ部１３３ｃを有した上額縁用ビスカバー１３３を取り付けることが困難となる。しかしながら、実施の形態２で適用する上額縁用ビスカバー１３３は、上述したように、上下を逆にした状態で上額縁部材１３１に装着することが可能である。従って、カバーヒレ部１３３ｃを上方に位置させた姿勢とすれば、上額縁部材１３１に上額縁用ビスカバー１３３を装着することができる。この場合、上額縁部材１３１の下方に位置する係合ヒレ部１３１ｈによって下方に配置される係合爪片１３３ｂと第二接合壁部１３１ｂとの間に隙間が確保されるため、取付ネジ１４０の頭部と係合爪片１３３ｂとが干渉することはない。さらに、上額縁用ビスカバー１３３によれば、カバー基部１３３ａが下方の係合爪片１３３ｂよりも下方に突出しているため、取付ネジ１４０の頭部がカバー基部１３３ａによって覆い隠されることになり、外観品質が損なわれることもない。
【００６３】
尚、上述した実施の形態１及び実施の形態２では、ドアパネルを開閉可能に支持させた玄関ドアを例示しているが、その他の建具にももちろん適用することが可能である。また、新設枠として２つの枠要素を断熱材によって連結したものを例示しているが、新設枠及び既設枠の構成は実施の形態に記載のものに限らない。さらに、縦額縁部材にインロウ用切欠を形成し、上額縁部材の端部を縦額縁部材の内部に挿入するようにしているが、逆の態様で上額縁部材と縦額縁部材とを接合するようにしても構わない。施工手順についても実施の形態に限定されることはなく、上額縁部材を取り付けた後に縦額縁部材を取り付けても良い。
【符号の説明】
【００６４】
１１，１２  既設枠、２２，２３  新設枠、３１，３２  額縁部材、３１ｂ  見付け額縁部、３１ｅ  折り取り溝、３２ｂ  内方見込み額縁部、３２ｃ  見付け額縁部、３２ｄ  外方見込み額縁部、３２ｆ  折り取り溝、３２ｇ  ネジ螺合用壁部、３２ｈ  ネジ挿通用切欠、３２ｊ  インロウ用切欠、３４  キャップ部材、３４ｂ  ラップ部、４１  連結ネジ、１３１，１３２  額縁部材、１３１ａ，１３２ｂ  第一接合壁部、１３１ｂ，１３２ｃ  第二接合壁部、１３１ｃ  見付け額縁部、１３１ｄ  見込み額縁部、１３１ｇ  折り取り溝、１３２ａ  ネジ螺合用壁部、１３２ｄ  見付け額縁部、１３２ｅ  見込み額縁部、１３２ｊ  折り取り溝、１３２ｋ  インロウ用切欠、１４１  連結ネジ、Ｂ  躯体
【図１】
0006512874.tif 000002
【図２】
0006512874.tif 000003
【図３】
0006512874.tif 000004
【図４】
0006512874.tif 000005
【図５】
0006512874.tif 000006
【図６】
0006512874.tif 000007
【図７】
0006512874.tif 000008
【図８】
0006512874.tif 000009
【図９】
0006512874.tif 000010
【図１０】
0006512874.tif 000011
【図１１】
0006512874.tif 000012
【図１２】
0006512874.tif 000013
【図１３】
0006512874.tif 000014
【図１４】
0006512874.tif 000015
【図１５】
0006512874.tif 000016
【図１６】
0006512874.tif 000017
【図１７】
0006512874.tif 000018